(57)【要約】【課題】家庭用生活関連電気機器と映像を表示可能な電子機器との間の通信で取得する情報を表示する電子機器及び表示方法を提供する。【解決手段】実施形態の電子機器は、通知受信手段と、通知保持手段と、通知種別判定手段と、表示制御手段と、表示設定手段と、を具備する。通知受信手段は、通信相手先機器からの通知を受け取る。通知保持手段は、前記通知受信手段が前記通知を受け取った時刻情報を取得し、前記通知と関連づけて保持する。通知種別判定手段は、前記通知受信手段が受け取った前記通知の種別を判定する。表示制御手段は、当該時刻情報に基づく時間情報を含む前記通知の内容を表示装置に表示させる。表示設定手段は、前記時間情報の表示形式を設定する。【選択図】図４
2015069331.tif 000002
【特許請求の範囲】
【請求項１】
通信相手先機器からの通知を受け取る通知受信手段と、
前記通知受信手段が前記通知を受け取った時刻情報を取得し、前記通知と関連づけて保持する通知保持手段と、
前記通知受信手段が受け取った前記通知の種別を判定する通知種別判定手段と、
当該時刻情報に基づく時間情報を含む前記通知の内容を表示装置に表示させる表示制御手段と、
前記通知種別判定手段の判定結果に基づいて、前記時間情報の表示形式を設定する表示設定手段と、
を具備する電子機器。
【請求項２】
前記表示設定手段は、前記通知保持手段が前記通知を受け取った時刻情報が示す時刻をそのまま表示する第一の表示形式と前記通知保持手段が前記通知を受け取った時刻情報が示す時刻からの経過時間を表示する第二の表示形式とを設定する請求項１の電子機器。
【請求項３】
前記表示設定手段は、前記通知が故障又はエラーを示す場合、前記第一の表示形式を設定し、前記通知が所定処理の完了を示す場合、前記第二の表示形式を設定する、請求項２に記載の電子機器。
【請求項４】
前記表示設定手段は、前記通知種別判定手段の判定結果に基づいて、前記通知保持手段が保持する前記通知を表示しない第三の表示形式を設定する請求項２の電子機器。
【請求項５】
前記通知保持手段は、前記通知受信手段が受け取った前記通知を直ちに表示できない動作状態である場合に前記通知を保持する請求項１〜４のいずれかの電子機器。
【請求項６】
前記表示設定手段は、前記通知受信手段が受け取る前記通知が複数である場合、最後に受け取った通知のみを表示する表示設定を設定する請求項５の電子機器。
【請求項７】
前記通知受信手段が受け取る前記通知が複数である場合、受け取った通知をまとめて表示する表示設定を設定する請求項５の電子機器。
【請求項８】
相手先機器から通知を受け取り、
通知を受け取った時刻情報を取得し、
時刻情報と通知とを、表示可能な時点での表示のために関連づけて保持し、
通知の種別に基づいて、通知を表示する表示形式を設定する
表示方法。
【発明の詳細な説明】
【技術分野】
【０００１】
この発明は、電子機器及び表示方法に関する。
【背景技術】
【０００２】
冷蔵庫や洗濯機、照明機器等の生活関連家庭用電気機器（以下、生活家電機器）とテレビジョン受信装置やレコーダと接続したモニタ装置等の映像を表示可能な電子機器との間のインタフェース規格としてＥＣＨＯＮＥＴ  Ｌｉｔｅ（Energy Conservation and Homecare Network、以下、ECHONET CONSORTIUMが制定するECHONETプロトコル）の運用が開始され、対応する機器が入手可能である。
【先行技術文献】
【特許文献】
【０００３】
【特許文献１】特開２００３−３２４７８０号公報
【発明の概要】
【発明が解決しようとする課題】
【０００４】
ＥＣＨＯＮＥＴ  Ｌｉｔｅに準拠する機器からの通知（情報）を電子機器が受け取り、その結果を表示する、例えば生活家電機器の動作が終了したことをテレビジョン受信装置等の画面に表示することにより、ユーザは、テレビジョン受信装置によりコンテンツ（番組）を視聴しながら、生活家電機器の動作状態、あるいは故障等の発生を把握することができる。
【０００５】
反面、テレビジョン受信装置においては、例えばスタンバイ状態による画面消灯時や、ネットワークからのコンテンツの取得と再生、等の生活家電機器からの通知は受けられるが通知を表示できない再生状態等、画面に生活家電機器からの通知を表示出来ない状態が有り得る。
【０００６】
この発明の目的は、通信可能な家庭用生活関連電気機器と映像を表示可能な電子機器との間の通信で取得する情報を表示する電子機器及び表示方法を提供することである。
【課題を解決するための手段】
【０００７】
実施形態の電子機器は、通知受信手段と、通知保持手段と、通知種別判定手段と、表示制御手段と、表示設定手段と、を具備する。通知受信手段は、通信相手先機器からの通知を受け取る。通知保持手段は、前記通知受信手段が前記通知を受け取った時刻情報を取得し、前記通知と関連づけて保持する。通知種別判定手段は、前記通知受信手段が受け取った前記通知の種別を判定する。表示制御手段は、当該時刻情報に基づく時間情報を含む前記通知の内容を表示装置に表示させる。表示設定手段は、前記時間情報の表示形式を設定する。
【図面の簡単な説明】
【０００８】
【図１】実施形態に係るシステム構成の概要の一例を示す。
【図２】実施形態に係るシステム構成の概要の一例を示す。
【図３】実施形態に係るシステム構成の概要の一例を示す。
【図４】実施形態に係るシステムにおける取得情報の表示例の一例を示す。
【図５】実施形態に係るシステムにおける取得情報の表示例の一例を示す。
【図６】実施形態に係る（表示装置の）画面表示の表示の一例を示す。
【図７】実施形態に係る（表示装置の）画面表示の表示の一例を示す。
【図８】実施形態に係る（表示装置の）画面表示の表示の一例を示す。
【図９】実施形態に係る（表示装置の）画面表示の表示の一例を示す。
【図１０】実施形態に係る表示装置の表示方法をソフトウエア的に示す。
【図１１】実施形態に係る表示装置の表示方法をソフトウエア的に示す。
【図１２】実施形態に適用可能な電子機器の一例を示す。
【図１３】実施形態に適用可能な電子機器の一例を示す。
【発明を実施するための形態】
【０００９】
以下、図面を参照して、本発明の実施の一形態について説明する。
【００１０】
図１は、電子機器、例えばデジタルテレビジョン放送受信再生装置（テレビジョン装置と称する）１０１、テレビジョン装置１０１との間の通信及び外部ネットワーク（インターネット網）１との間の通信を行うアクセスポイント（Ｗｉ−Ｆｉ通信コントローラ）１１、及びアクセスポイント１１に対して自身の動作状態を通知可能な生活関連家庭用電気機器（以下、生活家電機器）２１、３１、４１及び５１による家庭内ネットワークシステムの一例を示す。
【００１１】
図１において、生活家電機器の１つは、例えば洗濯機２１であり、例えば洗濯完了、等の完了通知と、例えば動作途中の状態、例えば脱水時の動作不良等のエラー通知が可能である。また、生活家電機器の１つは、例えば冷蔵庫３１であり、例えばドアの半開（不完全なドアの閉まり）あるいはドアの開放（急激な庫内温度の上昇）、等の好ましくない動作状態、を通知する。また、生活家電機器の１つは、例えば照明装置４１であり、点灯／消灯、等のスイッチに連動した状態を通知する。また、生活家電機器の１つは、例えば冷暖房装置（エアコン）５１であり、例えばフィルタの清掃時期であることの通知や、自己診断機能に従う故障（エラー通知）を通知する。なお、生活家電機器２１、３１、４１及び５１は、いずれもＥＣＨＯＮＥＴ  Ｌｉｔｅ規格に対応する処理（制御）に従い、自身の動作状態を、用意されている通信ユニット／通信制御部を通じて、テレビジョン装置１０１に通知する。
【００１２】
図１において、それぞれの生活家電機器２１、３１、４１及び５１は、アクセスポイント１１との間の無線通信（アクセスポイント１１への自身の動作状態の通知）が可能に、通信ユニット／通信制御部を有する。なお、通信ユニット／通信制御部としては、例えばＩＥＥＥ（Institute of Electrical and Electronics Engineers）８０２．１１（ｘ、ｘは、ｂ／ｇ／ｎ等の区分を示す）に準拠するＷｉ−Ｆｉ通信部や、ＩＥＥＥ（Institute of Electrical and Electronics Engineers）８０２．１５．１に準拠するＢｌｕｅｔｏｏｔｈ（登録商標）／ブルートゥース（登録商標））規格に準拠するＢｌｕｅｔｏｏｔｈ通信部であることが好ましい。
【００１３】
図２は、図１に示した例と同等の生活家電機器２１、３１、４１及び５１を含む家庭内ネットワークシステムにおいて、テレビジョン装置１０１に、個々の生活家電機器２１、３１、４１及び５１のそれぞれが、直接、無線通信により自身の動作状態を通知可能な例を示す。
【００１４】
図２が示す例では、それぞれの生活家電機器２１、３１、４１及び５１は、例えばＷｉ−Ｆｉダイレクト（近距離無線通信）方式の通信ユニット／通信制御部を有する。なお、通信ユニット／通信制御部は、例えばＩＥＥＥ（Institute of Electrical and Electronics Engineers）８０２．１５．１に準拠するＢｌｕｅｔｏｏｔｈ（登録商標）／ブルートゥース（登録商標））規格に準拠するものであってもよい。
【００１５】
図３は、図１に示した例と同等の生活家電機器２１、３１、４１及び５１を含む家庭内ネットワークシステムにおいて、テレビジョン装置１０１がルータ３１１と有線により接続し、ルータ３１１と接続した（あるいはルータ３１１に内装された）無線通信部（アクセスポイント）と個々の生活家電機器２１、３１、４１及び５１のそれぞれが、直接、無線通信により自身の動作状態を通知可能な例を示す。
【００１６】
図３が示す例では、それぞれの生活家電機器２１、３１、４１及び５１は、ルータ３１１（アクセスポイント）との間の通信が無線通信で、ルータ３１１とテレビジョン装置１０１との間の通信が、例えばＸ−ベース（Base）−ＴＸ／Ｔ（Ｘは、１００または１０００のいずれかの識別名、ＴＸ／Ｔは、識別名との組み合わせにより決まる符合）により表されるＥｔｈｅｒｎｅｔ（登録商標）／イーサネット（登録商標）方式に準拠した有線通信である。
【００１７】
なお、図１〜図３に示したテレビジョン装置（電子機器）１０１は、図１２に一例を示すが、例えばユーザインタフェース、無線または有線の通信機能（例えばブルートゥース（登録商標）、あるいはＷｉＦｉ（Wireless Fidelity）ダイレクト等の近距離無線通信、及びネットワーク（インターネット）を通じた外部との通信）、放送を受信する機能、受信した放送すなわち番組を処理する処理機能、番組を出力する番組出力機能もしくは記憶（録画）機能等を備える装置であれば、どのような装置であってもよい。装置の一例としては、放送を受信する機能を有するＰＣ（パーソナルコンピュータ）、放送受信装置を有する映像記録装置（レコーダ装置）と接続する映像表示装置（モニタ装置）、あるいは放送受信機能を有する携帯可能端末装置等への適用が可能である。なお、放送は、空間を伝播する電波として放送事業者（放送局）が提供するもの、あるいはケーブルやＩＰ（インターネット・プロトコル）網等のネットワークにより配信事業者が配信するもの等、を含む。また、放送は、映像と音声および／または音楽等を含み、一定の時間（放送時間）を単位とする番組を、連続して、あるいは一定期間（時間）提供する。なお、番組は、コンテンツもしくはストリームと呼称する場合もある。また、映像は、動画と静止画、あるいはテキスト（コード化された符号列で示される文字や記号等で表される情報）ならびにその任意の組み合わせを含む。
【００１８】
図４は、ＥＣＨＯＮＥＴ  Ｌｉｔｅに対応する処理（制御）に従い、生活家電機器２１、３１、４１及び５１のいずれか、例えば洗濯機２１や照明装置４１がテレビジョン装置１０１に、自身の動作状態を通知する例を示す。なお、テレビジョン装置１０１は、例えばＶＯＤ（Video On Demand）コンテンツの受信（ネットワークからの取得）及び再生動作（映像表示と音声再生）時、あるいはネットワーク上のウェブページの閲覧中においては、生活家電機器が通知する通知を受け取ることは可能であるが、表示部への表示ができない場合がある。
【００１９】
図４において、例えばＶＯＤコンテンツを再生中に、［１６：００］に洗濯機２１から通知を受けたとする。例えば、［１６：１５］になってコンテンツの再生を終了し、通知を表示できる状態（通常放送の受信など）に移行した時点で、記憶していた時刻［１６：００］と通知の内容とを、同時に表示する。
【００２０】
詳細には、通知を表示できない動作状態において受け取った通知は、通知保持部（例えば、図１２が示すテレビジョン装置１０１における通知・時刻保持部１９２が対応する）に、通知を受けた場合、通知を受け取った時刻（受けつけ時刻）を通知に関連づけて記憶する。なお、通知には、時間情報は含まれていないため、記憶する時刻（受けつけ時刻）は、テレビジョン装置１０１がもつ時刻（例えば、図１２が示すテレビジョン装置における制御部１５０のクロックを用いる時計機能あるいは同テレビジョン装置に内蔵される時計部において取得／維持する時間）を使用する。
【００２１】
その後、テレビジョン装置１０１において、生活家電機器から受け取った（通知保持部が保持している）通知を表示できるイミングになってから、記憶していた時刻を、通知と同時に画面に表示する。
【００２２】
なお、図４が示す例は、便宜的に「故障通知（第一の形式の通知）」と呼ばれる通知であり、通知を受けた時刻をそのまま表示することが好ましい。このことは、通知を受けた時刻を知ることによって、ユーザが、その故障の原因を類推しやすくなる（時刻情報からユーザが故障の原因を把握できる可能性がある）。
【００２３】
ここで、「故障通知（第一の形式の通知）」や「完了通知（第二の形式の通知）」は、読み取るプロパティや、内容に応じて区別される。
【００２４】
図５は、「完了通知（第二の形式の通知）」通知の表示例を示す。
【００２５】
図５に示すように、生活家電機器から受け取った通知保持部が保持している通知が、例えば洗濯機２１における洗濯の終了を通知する『洗濯終了』であるような場合には、表示する時刻を、記憶していた時刻そのものではなく、記憶していた時刻からの経過時間すなわち表示する時点の（現在）時刻の「何分前」であるか、を表示することも可能である。すなわち、洗濯機２１からの『洗濯が終わりました』という通知を表示する場合は、洗濯終了から何分経過したかが、ユーザにとって重要な情報であるため、この表示形式（経過時間を表示する『洗濯が終わりました。（１５分まえ）』）を選択することが好ましい。なお、経過時間は、例えば録画したコンテンツ（番組）の再生中においては、コンテンツの再生位置情報（時刻情報）から容易に取得できる。例えば、通知を受け取った時点の再生位置情報として取得した時刻情報と現在の再生位置情報からわかる時刻情報とを比較することで、獲得（演算）できる。
【００２６】
なお、経過時間は、通知を受け取った時点の時刻情報（上述の時計機能または時間）と通知を表示可能となった時点の時刻情報とにより、容易に求めることができる（例えば、図１２に示すテレビジョン装置の制御部１５０のＣＰＵ１５１が、例えばファームウエアにより演算することは、容易である）。もちろん、専用の経過時間計算部を用意し、それを用いることも可能である。
【００２７】
また、経過時間を表示する場合、図６に一例を示すように、現在の時刻と関連づけて、逐次、経過時間を加算（カウントアップ）して表示してもよい。例えば、図６の例では、記憶していた時刻［１６：００］を、表示が可能となった［１６：１５］に、『〜〜（１５分まえ）』を表示した後、さらに１分経過した時点で、『〜〜（１６分まえ）』を表示する例を示している。
【００２８】
図１０及び図１１に、図３〜図５に示した生活家電機器からの通知の受け取り（受けつけ）／記憶と、通知を受けつけた以降でテレビジョン装置が通知を表示可能となった時点での時間表示と、について、ソフトウエアに示す。
【００２９】
図１０に示すように、任意の生活家電機器（ＥＣＨＯＮＥＴ  Ｌｉｔｅ対応機器）からの機器の状態の通知を受けつける［１１］。
【００３０】
テレビジョン装置（表示装置）は、通知を受けつけた時点の時刻を、クロックあるいは時計部から取得する［１２］。
【００３１】
表示装置（テレビジョン装置）は、受けつけた通知と（通知を受けつけた時点の）時刻を通知記憶領域に保存する［１３］。
【００３２】
図１１は、通知記憶領域（通知保持部）が保持する通知を表示する際の上述の表示方式の選択を示す。
【００３３】
表示装置（テレビジョン装置）が、通知を表示できる状態になった時点［１１１］において、通知記憶領域（通知保持部）が通知を保持しているか否かがチェックされる［１１２］。
【００３４】
通知記憶領域（通知保持部）が通知を保持している場合［１１２−ＹＥＳ］、通知の種類がチェックされる［１１３］。例えば、「故障通知（第一の形式の通知）」であるか、「完了通知（第二の形式の通知）」であるか、がチェックされる。
【００３５】
通知の種類が「故障通知（第一の形式の通知）」である場合［１１３−ＮＯ］、通知の内容と保存していた時刻を表示装置（テレビジョン装置）の画面に表示する［１１４］。
【００３６】
通知の種類が「完了通知（第二の形式の通知）」である場合［１１３−ＹＥＳ］、現在時刻を取得し［１１５］、取得した現在時刻と保存していた時刻との差分（経過時間）と通知の内容を表示装置（テレビジョン装置）の画面に表示する［１１６］。なおエラー通知に関しても、「故障通知（第一の形式の通知）」と同様に時刻を表示する。
【００３７】
図７〜図９は、テレビジョン装置（表示装置）による（生活家電機器（ＥＣＨＯＮＥＴ  Ｌｉｔｅ対応機器））から受け取った通知の表示方法のさまざまな表示例を示す。
【００３８】
例えば、図７に示すように、テレビジョン装置（表示装置）が通知を表示できない期間に照明装置４１から「点灯しました」と通知をうけた後、「消灯しました」という通知を受け、その後、表示出来るタイミングになったような場合には、最後の通知である「消灯しました」のみを表示することも可能である。すなわち、表示出来ない期間に、同一機器からの通知を複数受けた場合、通知を受けた順に表示していくことが考えられるが、最後の結果のみ判れば十分な場合があり、その場合には、図７に示すように、最後（最新）の通知のみを表示すればよい。なお、機器の種別により、最後（最新）の通知のみを表示する機器が特定される。機器の種別は、例えばＭＡＣ（Media Access Control）アドレスから容易に特定できる（ＥＣＨＯＮＥＴ  Ｌｉｔｅにおいては、ＭＡＣアドレスにより機器の識別が可能である）。
【００３９】
なお、図８に示すように、テレビジョン装置（表示装置）が通知を表示出来ない期間に同一の機器からの通知を複数受けた場合、通知の表示領域に同一の機器から受けた複数の通知の履歴を一覧表示することも可能である。
【００４０】
図９は、テレビジョン装置（表示装置）が通知を表示出来ない期間に同一の機器からの通知を複数受けた場合であって、その中に「故障通知」とは異なるエラー通知に対する表示例を示す。
【００４１】
生活家電機器（ＥＣＨＯＮＥＴ  Ｌｉｔｅ対応機器）が通知する通知の種類としては、上述の「故障通知（第一の形式の通知）」と「完了通知（第二の形式の通知）」に加え、「エラー通知（第三の形式の通知）」が定義されている。なお、例えば「エラー通知」としては、例えば洗濯機２１における脱水（工程）における内容物（洗濯もの）の偏り、等に起因する通知がある。例えば、洗濯機２１における脱水（工程）においては、洗濯ものの偏り、等の影響で、一時的に、動作（脱水工程）が停止した場合であっても、時間の経過により水分が減ること、等に起因して自動的に解決してしまう場合がある。このような場合には、洗濯機２１からは、「エラー通知」と「エラー通知」に続く「エラー通知を取り消した通知」が、通知されることになる。従って、テレビジョン装置（表示装置）は、図１２が示すテレビジョン装置の例では、制御部１５０のＣＰＵ１５１のファームウエアにより、通信処理部１９０が通信部１９１を介して受け取った通知が、通知・時刻保持部１９２が保持する通知を取り消す通知であることを判断（検知）できた場合に、（結果的に）生活家電機器からの通知の内容を、表示しないことになる。
【００４２】
なお、時間情報を表示する形式を選択する条件に、通知を出した家電の分類を加えてもよい。例えば、同じ「完了通知」に対する表示として、機器の種類によって時間情報の表示形式を変えることも可能であり、例えば    
洗濯機から完了通知を受けた場合    
「洗濯機からのお知らせ：洗濯が終わりました。（１５分まえ）」    
照明装置から完了通知を受けた場合    
「照明からのお知らせ  照明が消灯されました。（１６：４０）」    
というように、照明装置４１からの通知の場合は、表示する時間情報には通知を受けた時刻を使用し、洗濯機２１からの通知の場合は、経過時間を使用する、というような場合分けも可能である。
【００４３】
また、通知を受けた時刻からの経過時間を条件に加え、経過時間が少ない場合は、経過時間を、大きい場合は、通知を受けた時刻を表示することも可能である。    
例えば、    
通知を受けてから一時間以内に表示する場合には、    
「洗濯機からのお知らせ  洗濯が終わりました。（１５分まえ）」    
と、いうような経過時間表示とし、    
通知を受けてから一時間以上経過してから表示する場合    
「洗濯機からのお知らせ  洗濯が終わりました。（１６：００）」    
と、いうような通知を受けつけた時刻の表示、    
とすることも可能である。
【００４４】
また、通知の種類と表示装置（テレビジョン装置）の動作状態とを関連づけて、表示する通知を識別する（必ず表示すべき通知は、表示装置の動作状態に拘わりなく表示する／表示可能状態に遷移した時点で表示が必要なくなっている通知であることが想定できる通知は表示しない）ことも可能である。
【００４５】
例えば、表示装置（テレビジョン装置）が通知を表示出来ない動作状態が、ＶＯＤ再生中、等である（表示装置の主電源がオンされている）場合に受け取った通知は、表示装置が表示可能になった時に表示を行うが、スタンバイ状態等である場合に受け取った通知については「故障通知」のみ表示し、その他の通知は表示しないことが好ましい。
【００４６】
一例としては、就寝時間に動作させている洗濯機の動作の完了を通知する「完了通知」が、翌朝、テレビジョン装置をオンした時点で表示されたとしても、ユーザが必要とする通知ではなくなっている場合が予測できる。反面、サービス（修理／点検）が必要と予想される故障に関する「故障通知」については、翌朝、テレビジョン装置をオンした時点で表示されるべきである。
【００４７】
図１２に、図１〜図３（図４〜図９）に示した表示装置に利用可能なテレビジョン装置の要素の一例を示す。
【００４８】
テレビジョン装置１０１は、入力部１１１、復調部１１２、信号処理部１１３、音声処理部１２１、映像処理部１３１、ＯＳＤ処理部１３２、表示処理部１３３、制御部１５０、ストレージ１６０、操作入力部１６１、受信部１６２、ネットワークコントローラ１７１、及び近距離無線通信処理部１９０、等を備える。テレビジョン装置１０１は、スピーカ１２２及びディスプレイ１３４を備える。なお、近距離無線通信処理部１９０には、近距離無線通信通信部１９１及び通知・時刻保持部１９２が接続する。また、近距離無線通信処理部１９０は、例えばＷｉ−Ｆｉダイレクト、あるいはＢｌｕｅｔｏｏｔｈ規格に準拠する通信ユニット／通信制御部である。
【００４９】
テレビジョン装置１０１は、例えばリモートコントローラ１６３からの制御入力（操作指示）を受けつけ、操作指示（制御入力）に対応する制御コマンドを制御部１５０に供給する。例えば、電源ボタンがオンされることで、スタンバイ（待機／主電源オフ）状態から動作状態へ遷移し、電源ボタンがもう一度オンされることで、動作状態からスタンバイ状態へ遷移する。
【００５０】
入力部１１１は、例えばアンテナＡＮＴを通じて受信可能なデジタル放送信号、例えば地上波放送信号、ＢＳ（Broadcasting Satellite）放送信号、及び／またはＣＳ（Communication Satellite）放送信号を受信することができる。入力部１１１はまた、例えばＳＴＢ（Set Top Box、例えば有料放送等に対応する外部チューナ、あるいはケーブル配信局が配信する放送を選局可能なチャンネルセレクタ）等を経由し、もしくは直接入力として供給されるコンテンツ（外部入力）を受け取ることができる。
【００５１】
入力部１１１は、受け取ったデジタル放送信号のチューニング（選局）を行う。入力部１１１は、チューニングしたデジタル放送信号を復調部１１２に供給する。なお、テレビジョン装置１０１は、複数の入力部（チューナ）１１１を備えていてもよい。その場合、テレビジョン装置１０１は、複数のデジタル放送信号／コンテンツを同時に受信することができる。なお、入力部１１１は、ＳＴＢ等を経由する外部入力については、そのまま、復調部１１２へ供給する。
【００５２】
復調部１１２は、選局されたデジタル放送信号／コンテンツを復調する。すなわち、復調部１１２は、デジタル放送信号／コンテンツからトランスポートストリーム（ＴＳ、Transport Stream）等の動画データ（以下ストリームと称する）を取得する。復調部１１２は、取得したストリームを信号処理部１１３に入力する。なお、テレビジョン装置１０１は、複数の復調部１１２を備えていてもよい。複数の復調部１１２は、複数のデジタル放送信号／コンテンツのそれぞれを、復調することができる。
【００５３】
信号処理部１１３は、復調部１１２が復調したストリームを、例えば音声成分と映像成分、及び文字情報やＥＰＧ（Electric Program Guide）向けのデータ成分に、分離する。すなわち、信号処理部１１３は、ストリームをデジタル映像信号、デジタル音声信号、及びその他のデータ信号、例えば上述のＥＰＧ向け成分の他に、データ放送と称する文字や符号からなるテキストデータ等を分離する。なお、信号処理部１１３は、複数の復調部１１２により復調された複数のストリームを分離することができる。
【００５４】
信号処理部１１３はまた、分離したデジタル音声信号を音声処理部１２１に供給する。信号処理部１１３はさらに、分離したデジタル映像信号を映像処理部１３１に供給する。また、信号処理部１１３は、制御部１５０に、ＥＰＧ（向け）データなどのデータ信号を供給する。
【００５５】
なお、信号処理部１１３は、制御部１５０の制御に基づいて、上記のストリームを録画可能な状態のデータ（録画ストリーム）に変換することができる。信号処理部１１３は、さらに、制御部１５０の制御に基づいて、録画ストリームをストレージ１６０または他のモジュールに供給することができる。
【００５６】
またさらに、信号処理部１１３は、ストリームのビットレートを、オリジナル（放送信号／コンテンツ）で設定されているビットレートから他のビットレートに変換（トランスコード）することができる。すなわち、信号処理部１１３は、取得した放送信号／コンテンツのオリジナルのビットレートを、オリジナルに比較して低いビットレートにトランスコード（変換）することができる。これにより、信号処理部１１３は、より容量の少ない状態でコンテンツ（番組）を録画させることができる。
【００５７】
音声処理部１２１は、信号処理部１１３から受信したデジタル音声信号を、スピーカ１２２により再生可能なフォーマットの信号（オーディオ信号）に変換する。すなわち、音声処理部１２１は、Ｄ／Ａ（Digital to Analog）変換部を含み、デジタル音声信号をアナログオーディオ（音響）／音声信号に変換する。音声処理部１２１は、変換したオーディオ（音響）／音声信号をスピーカ１２２に供給する。スピーカ１２２は、供給されるオーディオ（音響）／音声信号から、音声及び音響音を再生する。
【００５８】
映像処理部１３１は、信号処理部１１３からのデジタル映像信号を、ディスプレイ１３４で再生可能なフォーマットの映像信号に変換する。すなわち、映像処理部１３１は、信号処理部１１３から受信したデジタル映像信号を、ディスプレイ１３４で再生可能なフォーマットの映像信号にデコードする。映像処理部１３１は、デコードした映像信号を表示処理部１３３に出力する。
【００５９】
ＯＳＤ処理部１３２は、信号処理部１１３から供給されるデータ信号及びまたは制御部１５０から供給される制御信号（制御コマンド）に基づいて、例えばＧＵＩ（Graphical User Interface）表示、字幕表示、時刻表示、タブレット端末装置（図１３に一例を示す携帯端末装置）２０１へのＳＮＳの着信の有無（非表示）、もしくは再生中の映像及びオーディオへの音声通信またはそれに準じる通信データの着信、の報知情報等を、映像処理部１３１からの表示信号に重畳して表示するためのＯＳＤ（On Screen Display）信号を生成する。
【００６０】
表示処理部１３３は、例えば制御部１５０からの制御に基づいて、受信した映像信号に、例えば色味、明るさ、シャープ、コントラスト及びその他の画質調整処理を行う。表示処理部１３３は、画質調整を施した映像信号をディスプレイ１３４に供給する。従い、ディスプレイ１３４は、供給される映像信号に基づいて映像を表示する。
【００６１】
表示処理部１３３はまた、画質調整処理後の上述の映像処理部１３１からの表示信号とＯＳＤ処理部１３２からのＯＳＤ信号とを重畳し、ディスプレイ１３４に供給する。
【００６２】
ディスプレイ１３４は、例えばマトリクス状に配列された複数の画素を備える液晶表示パネルと、この液晶パネルを照明するバックライトとを備える液晶表示装置、等を含む。ディスプレイ１３４は、表示処理部１３３から供給される映像信号に基づいて映像を表示する。
【００６３】
なお、テレビジョン装置１０１は、ディスプレイ１３４の代わりに、映像信号を出力する出力端子を備える構成であってもよい。また、テレビジョン装置１０１は、スピーカ１２２の代わりに、オーディオ信号を出力する出力端子を備える構成であってもよい。また、テレビジョン装置１０１は、デジタル映像信号とデジタル音声信号とを出力する出力端子を備える構成であってもよい。
【００６４】
制御部１５０は、テレビジョン装置１０１の各部の動作を制御する。制御部１５０は、ＣＰＵ（Central Processing Unit）１５１、ＲＯＭ（読み出し専用メモリ）１５２、ＲＡＭ（Random Access Memory）１５３、及びＥＥＰＲＯＭ（不揮発性メモリ）１５４、等を含む。制御部１５０はまた、操作入力部１６１から供給される操作信号に基づいて、種々の処理を行う。制御部１５０はまた、ＥＣＨＯＮＥＴ  Ｌｉｔｅに対応する生活家電機器から所定の通知を受け取った時点の時刻情報（上述の時計機能または時間）と通知を表示可能となった時点の時刻情報とにより、経過時間を求める（算出する）ことができる。なお、経過時間の算出は、以下に説明するＣＰＵ１５１のファームウエアであってもよい。
【００６５】
ＣＰＵ１５１は、種々の演算処理を実行する演算素子などを備える。ＣＰＵ１５１は、ＲＯＭ１５２、またはＥＥＰＲＯＭ１５４等が保持するプログラムを実行することにより種々の機能を実現する。なお、ＣＰＵ１５１は、上述した経過時間の算出を受け持つ場合もある。
【００６６】
ＲＯＭ１５２は、テレビジョン装置１０１を制御するためのプログラム、及び各種の機能を実現するためのプログラムなどを保持する。ＣＰＵ１５１は、操作入力部１６１から供給される操作信号に基づいて、ＲＯＭ１５２に記憶されているプログラムを起動する。これにより、制御部１５０は、各部の動作を制御する。
【００６７】
ＲＡＭ１５３は、ＣＰＵ１５１のワークメモリとして機能する。すなわち、ＲＡＭ１５３は、ＣＰＵ１５１の演算結果やＣＰＵ１５１により読み込まれたデータ等を記憶する。
【００６８】
ＥＥＰＲＯＭ１５４は、各種の設定情報及びプログラム等を記憶する不揮発性メモリである。なお、必要に応じて（制御部１５０の制御に従い）Wi-Fi Direct処理部１９０が認証したクライアント機器の情報を保持する。
【００６９】
ストレージ１６０は、コンテンツを記憶する記憶媒体を有する。ストレージ１６０は、例えばハードディスクドライブ（ＨＤＤ）、ＳＳＤ（Solid State Drive）、もしくは半導体メモリなどである。ストレージ１６０は、信号処理部１１３からの供給された録画ストリームやテキストデータなどを記憶することができる。
【００７０】
操作入力部１６１は、例えばユーザによる操作入力に対応して操作信号を生成する操作キーを含む。また、操作入力部１６１は、キーボード、マウス、または操作信号を生成することができる他の入力装置などから操作信号を受け取る構成であってもよい。操作入力部１６１は、操作信号を制御部１５０に供給する。
【００７１】
なお、テレビジョン装置１０１のディスプレイ１３４は、操作入力部１６１の一部の機能を実現可能なタッチパネル機能を備える構成であってもよい。
【００７２】
受信部１６２は、例えば赤外線（Ｉｒ）方式により供給されるリモートコントローラ１６３からの操作信号を受信するセンサ等を備える。受信部１６２は、受信した信号を制御部１５０に供給する。制御部１５０は、受信部１６２から供給された信号を受信し、受信した信号を増幅したのちＡ／Ｄ（Analog to Digital）変換を行うことにより、リモコン１６３から送信された元の操作信号を復号する。
【００７３】
リモートコントローラ１６３は、ユーザの操作入力に基づいて操作信号を生成する。リモートコントローラ１６３は、生成した操作信号を赤外線通信により受信部１６２に送信する。なお、受信部１６２及びリモートコントローラ１６３は、電波（ＲＦ）、等の他の無線通信により操作信号の送受信を行う構成であってもよい。
【００７４】
ネットワークコントローラ１７１は、例えばネットワーク（インターネット）１と接続し、ネットワーク１上の他の機器と通信を行なうことができる。これにより、テレビジョン装置１０１は、ネットワーク１を経由して接続可能な任意の機器及びコンテンツ供給元あるいは種々のデータサーバとの間の情報の受け渡しが可能である。これにより、テレビジョン装置１０１は、ネットワークコントローラ１７１を経由して接続するコンテンツ供給元やデータサーバ、もしくは家庭内を含む任意の機器が保持するコンテンツ（ストリーム）を取得し、再生することができる。なお、ネットワークコントローラ１７１が接続するコンテンツ供給元は、例えばＶＯＤコンテンツ等のテレビジョン装置１０１の表示能力に制限を与える（生活家電装置からの通知を表示できない）リソース負荷が大きな場合がある。
【００７５】
ＨＤＭＩ処理部１８１は、ＨＤＭＩ（登録商標）規格（すなわちＨＤＭＩ(High Definition Multimedia Interface)）に従い、制御信号及び映像（Video）データと音声（音響／Audio）データの受け渡しを行う。ＨＤＭＩ処理部１８１は、ＨＤＭＩ端子を備える外部機器または大容量メモリ（外付けＨＤＤ）等との間で、映像及び音声を含むコンテンツ（ストリーム）の送信と受信が可能である。外部機器としては、例えばブルーレイ（登録商標）レコーダ、ＤＶＤ（Digital Versatile Disk）レコーダ、ハードディスク（ＨＤＤ）レコーダ、または他の機器とＨＤＭＩ規格に対応した機器（ＨＤＭＩ機器）、あるいはＮＡＳ（Network Attached Storage）等、がある。なお、テレビジョン装置１０１は、例えばＳｅｒｉａｌ−ＡＴＡ（Serial-Advanced Technology Attachment）やＨＤＭＩ−ＨＥＣ（HDMI Ethernet Channel）との接続が可能なＬＡＮ端子、等の他のインタフェースを備えることができる。
【００７６】
近距離無線通信処理部１９０は、近距離無線通信通信部１９１を介して接続する生活家電装置（２１，３１，４１，５１）との間のデータの受け渡し（生活家電装置からの通知の受け取り）や相手方機器（生活家電装置）との間の相互認証処理等を受け持つ。なお、認証した相手方機器から取得する情報は、例えば通知・時刻保持部１９２もしくはＥＥＰＲＯＭ１５４が記憶する。なお、近距離無線通信通信部１９１及び近距離無線通信処理部１９０は、図１１では、ネットワークコントローラ１７１と独立に設けた例を示しているが、ネットワークコントローラ１７１と一体（もしくは一部が共用されるよう）に形成されてもよい。また、ネットワークコントローラ１７１と近距離無線通信通信部１９１及び近距離無線通信処理部１９０を一体とした場合は、通知・時刻保持部１９２は、ネットワークコントローラ１７１に接続する。
【００７７】
図１３に、図１〜図３（図４〜図９）に示した表示装置に利用可能な携帯端末装置の要素の一例を示す。すなわち、今日では、表示装置は、必ずしもテレビジョン装置であるとは限らず、示すタブレット装置やスマートフォンである場合も考慮される。
【００７８】
携帯端末装置２０１は、制御部２５０、操作入力部２６４、通信部２７１、近距離無線通信処理部２７３及び記憶装置２７４を備える。なお、近距離無線通信処理部２７３は、例えばＷｉ−Ｆｉダイレクト、あるいはＢｌｕｅｔｏｏｔｈ規格に準拠する通信ユニット／通信制御部である。
【００７９】
携帯端末装置２０１はまた、スピーカ２２２、マイク２２３、ディスプレイ２３４、（ディスプレイ２３４と一体の）タッチセンサ２３５を備える。
【００８０】
制御部２５０は、携帯端末装置２０１の各部の動作を制御する。制御部２５０は、ＣＰＵ２５１、ＲＯＭ２５２、ＲＡＭ２５３、及び不揮発性メモリ２５４等を含む。
【００８１】
制御部２５０は、操作入力部２６４、またはタッチセンサ２３５から供給される操作信号に基づいて種々の処理を行う。制御部２５０はまた、近距離無線通信処理部２７３を通じて生活家電機器２１、３１、４１及び５１等から通知される通知をディスプレイ２３４に表示させる。なお、携帯端末装置２０１がネットワークと接続し、コンテンツをダウンロード中である場合には、近距離無線通信処理部２７３を通じて取得する上述の通知は、表示されない（ダウンロード等のリソース負荷が大きい場合は、上述の通知は、ダウンロード終了後、となる）。また、
ＣＰＵ２５１は、種々の演算処理を実行する。ＣＰＵ２５１はまた、ＲＯＭ２５２、あるいは不揮発性メモリ２５４、等が保持するプログラムを実行することにより種々の機能を実現する。
【００８２】
ＲＯＭ２５２は、テレビジョン装置１０１を制御するためのプログラム、及び各種の機能を実現するためのプログラム等を保持する。ＣＰＵ２５１は、操作入力部２６４からの操作信号に基づいて、ＲＯＭ２５２に記憶されているプログラムを起動する。これにより、制御部２５０は、各部の動作を制御する。
【００８３】
ＲＡＭ２５３は、ＣＰＵ２５１のワークメモリとして機能する。すなわち、ＲＡＭ２５３は、ＣＰＵ２５１による演算結果、ＣＰＵ２５１を介して読み込まれたデータ、近距離無線通信処理部２７３による生活家電機器２１、３１、４１及び５１等の機器との間の認証に必要なデータ、等を記憶する。
【００８４】
不揮発性メモリ２５４は、各種の設定情報、プログラム、近距離無線通信処理部２７３による個々の生活家電機器との間の認証結果、等を記憶する。
【００８５】
また、制御部２５０は、ＣＰＵ２５１が実行しているアプリケーションに応じて、種々の画面表示を表示するための表示用の映像信号を生成し、ディスプレイ２３４に表示させることができる。従い、ディスプレイ２３４は、供給される動画信号（Video）に基づいて、動画（グラフィック）や静止画もしくは文字情報、等を再生する。制御部２５０はまた、ＣＰＵ２５１が実行しているアプリケーションに応じて、種々の音声などの再生用の音声信号を生成し、スピーカ２２２により出力させることができる。従い、スピーカ２２２は、供給されるオーディオ信号（Audio）に基づいて音（音響／音声）を再生する。
【００８６】
マイク２２３は、携帯端末装置２０１の周囲の音を集音し、音響信号を生成する。音響信号は、Ａ／Ｄ変換後、制御部２５０により音響データに変換され、ＲＡＭ２５３において一時的に保持される。音響データは、必要に応じ、Ｄ／Ａ変換後、スピーカ２２２により音声／音響音に変換される（再生される）。音響データはまた、Ａ／Ｄ変換後、音声認識処理により制御コマンドとして、利用される。
【００８７】
ディスプレイ２３４は、例えばマトリクス状に配列された複数の画素を備える液晶表示パネルと、この液晶パネルを照明するバックライトとを備える液晶表示装置等を含む。
【００８８】
タッチセンサ２３５は、ディスプレイ２３４に表示されている画面上での操作（画面表示に対応するユーザ入力）に基づいて操作信号を生成し、制御部２５０に供給する。
【００８９】
操作入力部２６４は、例えばユーザによる操作入力に応じて操作信号を生成するキーを備える。操作入力部２６４は、例えば音量を調整するための音量調整キー、ディスプレイ２３４の表示輝度を調整するための輝度調整キー、及び携帯端末装置２０１の電源状態を切り替える（オン／オフする）ための電源キー等を備える。操作入力部２６４はまた、キーボード、マウスまたは操作信号を生成する事ができる他の入力装置などから操作信号を受け取る構成であってもよい。例えば、携帯端末装置２０１がＵＳＢ端子やＢｌｕｅｔｏｏｔｈ規格に対応するモジュールなどを備えている場合、操作入力部２６４は、ＵＳＢまたはＢｌｕｅｔｏｏｔｈにより接続された入力装置から操作信号を受け取り、制御部２５０に供給する。
【００９０】
通信部２７１は、ＬＡＮまたは無線ＬＡＮにより、ネットワーク１上の他の機器と通信を行なうことができる。これにより、携帯端末装置２０１は、ネットワーク１を経由して接続するコンテンツ供給元やデータサーバ、もしくは家庭内を含む任意の機器が保持するコンテンツ（ストリーム）を取得し、再生することができる。
【００９１】
近距離無線通信処理部２７３は、個々の生活家電機器２１、３１、４１及び５１の間のデータの受け渡しやデータの処理を受け持つ。すなわち、携帯端末装置２０１は、近距離無線通信処理部２７３による個々の生活家電機器２１、３１、４１及び５１との間の通信により、生活家電機器（ＥＣＨＯＮＥＴ  Ｌｉｔｅ対応機器））から受け取った通知を、ディスプレイ２３４に表示することができる。
【００９２】
記憶装置２７４は、ハードディスクドライブ（ＨＤＤ）、ソリッドステートドライブ（ＳＳＤ）、または半導体メモリ等を含む。記憶装置２７４は、制御部２５０のＣＰＵ２５１により実行されるプログラム、アプリケーション、動画などのコンテンツ、及び種々のデータなどを記憶することができる。
【００９３】
電源部２９０は、バッテリ（充電池）２９２と、商用電源などから電力を受け取るアダプタと接続するための端子（例えばＤＣジャック）と、を備える。電源部２９０は、商用電源から受け取った電力によりバッテリ２９２を充電する。また、電源部２９０は、バッテリ２９２に充電されている電力を携帯端末装置２０１の各部へ供給する。
【００９４】
このように、実施形態を適用する表示装置は、ＥＣＨＯＮＥＴ  Ｌｉｔｅに対応する生活家電機器から受け取る通知を受けた（受け取った）時刻を記憶しておき、通知を表示すると同時に時刻を元にした時間情報を同時に表示することによって、通知を表示出来ない期間に受けた通知でも、ユーザが通知をいつ受けたのか、が分かるよう、表示できる。
【００９５】
また、表示装置は、通知を表示出来ない期間に複数通知を受けた場合、必要な表示のみ表示することができる。なお、複数の通知の履歴を一覧表示することも可能である。
【００９６】
すなわち、表示装置は、同一機器の表示をまとめて表示する、等の（選択可能な）表示方法により、必ず表示すべき通知は、表示装置の動作状態に拘わりなく表示する、あるいは表示可能状態に遷移した時点で表示が必要なくなっている通知であることが想定できる通知は表示しない、等、ユーザに生活家電機器の現状（動作状態）を、適切に報知できる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１０１…テレビジョン装置（電子機器）、１９０…近距離無線通信処理部、１９１…近距離無線通信通信部、１９２…通知・時刻保持部。
【図１】
2015069331.tif 000003
【図２】
2015069331.tif 000004
【図３】
2015069331.tif 000005
【図４】
2015069331.tif 000006
【図５】
2015069331.tif 000007
【図６】
2015069331.tif 000008
【図７】
2015069331.tif 000009
【図８】
2015069331.tif 000010
【図９】
2015069331.tif 000011
【図１０】
2015069331.tif 000012
【図１１】
2015069331.tif 000013
【図１２】
2015069331.tif 000014
【図１３】
2015069331.tif 000015